(57)【要約】【課題】より確実に且つより好適にコンテンツリスト及びコンテンツを受信することができるコンテンツ受信システムを提供する。【解決手段】コンテンツ受信システムにおいて、サーバに、複数のコンテンツを記憶するコンテンツデータベースと、当該複数のコンテンツの第１コンテンツリストを記憶するリストデータベースと、を備え、モバイルクライアント装置２に、ＣＰＵ２５に、当該モバイルクライアント装置２の移動が停止した予め設定された停止状態か否かを判断させる判断プログラム２７Ｄと、モバイルクライアント装置２が予め設定された停止状態であると判断した場合に、サーバのリストデータベースからコンテンツリストを取得させるリスト取得プログラム２７Ｅと、取得したコンテンツリストからコンテンツを選択して、選択したコンテンツをサーバから取得させるコンテンツ取得プログラム２７Ｇと、を備えた。【選択図】図３
2008078779.tif 000002
【特許請求の範囲】
【請求項１】
サーバと、前記サーバとネットワークを介して接続されて前記サーバから送信されるコンテンツを受信するとともに自動車に搭載されるモバイルクライアント装置と、を備えるコンテンツ受信システムにおいて、
前記サーバは、
複数のコンテンツを記憶する第１コンテンツ記憶手段と、
当該複数のコンテンツの第１コンテンツリストを記憶する第１リスト記憶手段と、
前記モバイルクライアント装置からの要求に従って、前記第１コンテンツ記憶手段に記憶されたコンテンツ及び前記第１リスト記憶手段に記憶された第１コンテンツリストのうち少なくとも一部を前記モバイルクライアント装置に送信する送信手段と、
を備え、
前記モバイルクライアント装置は、
コンテンツを記憶する第２コンテンツ記憶手段と、
前記自動車の停止を検出する停止検出手段と、
前記停止検出手段により前記自動車の停止が検出されてから所定時間が経過した場合に、前記モバイルクライアント装置が停止状態であると判断する判断手段と、
前記判断手段により前記モバイルクライアント装置が停止状態であると判断された場合に、前記サーバの第１リスト記憶手段に記憶された第１コンテンツリストから、予め設定された検索条件に合致するコンテンツリストを取得するリスト取得手段と、
前記第２コンテンツ記憶手段に記憶されたコンテンツの第２コンテンツリストを記憶する第２リスト記憶手段と、
前記リスト取得手段により取得された前記コンテンツリストと前記第２リスト記憶手段に記憶されている前記第２コンテンツリストとの差分により取得されるコンテンツを選択する自動選択手段と、
前記自動選択手段により選択されたコンテンツを前記サーバから取得する前記コンテンツ取得手段と、
を備えることを特徴とするコンテンツ受信システム。
【請求項２】
サーバと、前記サーバとネットワークを介して接続されて前記サーバから送信されるコンテンツを受信するモバイルクライアント装置と、を備えるコンテンツ受信システムにおいて、
前記サーバは、
複数のコンテンツを記憶するコンテンツ記憶手段と、
当該複数のコンテンツのコンテンツリストを記憶するリスト記憶手段と、
を備え、
前記モバイルクライアント装置は、
当該モバイルクライアント装置の移動の停止を検出する停止検出手段と、
前記停止検出手段による検出結果に基づいて、予め設定された停止状態か否かを判断する判断手段と、
前記判断手段により前記モバイルクライアント装置が前記停止状態であると判断された場合に、前記サーバのリスト記憶手段から前記コンテンツリストのうちの少なくとも一部を取得するリスト取得手段と、
前記リスト取得手段により取得されたコンテンツリストからコンテンツを選択する選択手段と、
前記選択手段により選択されたコンテンツを前記サーバから取得するコンテンツ取得手段と、
を備えることを特徴とするコンテンツ受信システム。
【請求項３】
前記モバイルクライアント装置は、
自動車に搭載されており、
前記判断手段は、前記停止検出手段により前記モバイルクライアント装置の停止が検出されてから所定時間が経過した場合に、前記モバイルクライアント装置が前記停止状態であると判断することを特徴とする請求項２に記載のコンテンツ受信システム。
【請求項４】
前記モバイルクライアント装置は、
当該モバイルクライアント装置の充電電池を充電する充電部を備え、
前記停止検出手段は、前記充電部により前記充電電池が充電されていることを検出し、
前記判断手段は、前記停止検出手段により前記充電部により前記充電電池が充電されていることが検出された場合に、前記モバイルクライアント装置が前記停止状態であると判断することを特徴とする請求項２に記載のコンテンツ受信システム。
【請求項５】
前記停止検出手段は、当該モバイルクライアント装置の位置を検出する位置検出手段を備え、
前記判断手段は、前記位置検出手段により検出された前記モバイルクライアント装置の位置が所定範囲内に入ってから所定時間経過した場合に、前記モバイルクライアント装置が前記停止状態であると判断することを特徴とする請求項２に記載のコンテンツ受信システム。
【請求項６】
前記モバイルクライアント装置は、
コンテンツを記憶する第２コンテンツ記憶手段と、
前記第２コンテンツ記憶手段に記憶されているコンテンツの第２コンテンツリストを記憶する第２リスト記憶手段を備え、
前記選択手段は、
前記リスト取得手段により取得されたコンテンツリストと前記第２リスト記憶手段に記憶されている第２コンテンツリストとの差分により取得されるコンテンツを選択する自動選択手段を備えることを特徴とする請求項２〜５の何れか一項に記載のコンテンツ受信システム。
【請求項７】
前記選択手段は、
前記リスト取得手段により取得されたコンテンツリストからユーザが所望するコンテンツを選択するユーザ選択手段を備えることを特徴とする請求項２〜６の何れか一項に記載のコンテンツ受信システム。
【発明の詳細な説明】
【技術分野】
【０００１】
本発明は、コンテンツ受信システムに関する。
【背景技術】
【０００２】
従来、ネットワークを介してコンテンツを送信するサーバと、サーバからコンテンツを受信するクライアント装置と、を備えるコンテンツ受信システムが知られている（例えば、特許文献１−３）。例えば、クライアント装置がサーバからコンテンツリストを受信し、当該コンテンツリストからコンテンツを選択するものが知られている（例えば、特許文献１）。
また、クライアント装置がサーバから受信したコンテンツリストの順番に従ってコンテンツを受信するものも知られている（例えば、特許文献２）
また、クライアント装置がサーバからコンテンツＩＤリストを受信して、当該コンテンツＩＤリストに基づいて利用期限更新許容コンテンツと非許容コンテンツとを判別するものも知られている。
【特許文献１】特開２００５−１８４７８３号公報
【特許文献２】特開２００４−２９５５９６号公報
【特許文献３】特開２００６−０１８７０９号公報
【発明の開示】
【発明が解決しようとする課題】
【０００３】
しかしながら、クライアント装置が、ＨＤＤ・フラッシュメモリオーディオプレイヤーや携帯電話や自動車等の高移動性のモバイルクライアント装置の場合、移動中では通信が不安定となる場合があり、サーバからコンテンツリストを送信した際に、通信が不安定となった場合には、当該コンテンツリストやコンテンツを受信することができなくなってしまう。そこで、ユーザが意識的に移動を停止してから、当該コンテンツリストやコンテンツを受信することとすると、モバイルクライアント装置の高移動性が損なわれる結果となり、使い勝手が悪い。
【０００４】
本発明の課題は、モバイルクライアント装置が、より確実に且つより好適にコンテンツリスト及びコンテンツをサーバから受信することができるコンテンツ受信システムを提供することである。
【課題を解決するための手段】
【０００５】
請求項１に記載の発明は、サーバと、前記サーバとネットワークを介して接続されて前記サーバから送信されるコンテンツを受信するとともに自動車に搭載されるモバイルクライアント装置と、を備えるコンテンツ受信システムにおいて、
前記サーバは、
複数のコンテンツを記憶する第１コンテンツ記憶手段と、
当該複数のコンテンツの第１コンテンツリストを記憶する第１リスト記憶手段と、
前記モバイルクライアント装置からの要求に従って、前記第１コンテンツ記憶手段に記憶されたコンテンツ及び前記第１リスト記憶手段に記憶された第１コンテンツリストのうち少なくとも一部を前記モバイルクライアント装置に送信する送信手段と、
を備え、
前記モバイルクライアント装置は、
コンテンツを記憶する第２コンテンツ記憶手段と、
前記自動車の停止を検出する停止検出手段と、
前記停止検出手段により前記自動車の停止が検出されてから所定時間が経過した場合に、前記モバイルクライアント装置が停止状態であると判断する判断手段と、
前記判断手段により前記モバイルクライアント装置が停止状態であると判断された場合に、前記サーバの第１リスト記憶手段に記憶された第１コンテンツリストから、予め設定された検索条件に合致するコンテンツリストを取得するリスト取得手段と、
前記第２コンテンツ記憶手段に記憶されたコンテンツの第２コンテンツリストを記憶する第２リスト記憶手段と、
前記リスト取得手段により取得された前記コンテンツリストと前記第２リスト記憶手段に記憶されている前記第２コンテンツリストとの差分により取得されるコンテンツを選択する自動選択手段と、
前記自動選択手段により選択されたコンテンツを前記サーバから取得する前記コンテンツ取得手段と、
を備えることを特徴としている。
【０００６】
請求項２に記載の発明は、サーバと、前記サーバとネットワークを介して接続されて前記サーバから送信されるコンテンツを受信するモバイルクライアント装置と、を備えるコンテンツ受信システムにおいて、
前記サーバは、
複数のコンテンツを記憶するコンテンツ記憶手段と、
当該複数のコンテンツのコンテンツリストを記憶するリスト記憶手段と、
を備え、
前記モバイルクライアント装置は、
当該モバイルクライアント装置の移動の停止を検出する停止検出手段と、
前記停止検出手段による検出結果に基づいて、予め設定された停止状態か否かを判断する判断手段と、
前記判断手段により前記モバイルクライアント装置が前記停止状態であると判断された場合に、前記サーバのリスト記憶手段から前記コンテンツリストのうちの少なくとも一部を取得するリスト取得手段と、
前記リスト取得手段により取得されたコンテンツリストからコンテンツを選択する選択手段と、
前記選択手段により選択されたコンテンツを前記サーバから取得するコンテンツ取得手段と、
を備えることを特徴としている。
【０００７】
請求項３に記載の発明は、請求項２に記載のコンテンツ受信システムにおいて、
前記モバイルクライアント装置は、
自動車に搭載されており、
前記判断手段は、前記停止検出手段により前記モバイルクライアント装置の停止が検出されてから所定時間が経過した場合に、前記モバイルクライアント装置が前記停止状態であると判断することを特徴としている。
【０００８】
請求項４に記載の発明は、請求項２に記載のコンテンツ受信システムにおいて、
前記モバイルクライアント装置は、
当該モバイルクライアント装置の充電電池を充電する充電部を備え、
前記停止検出手段は、前記充電部により前記充電電池が充電されていることを検出し、
前記判断手段は、前記停止検出手段により前記充電部により前記充電電池が充電されていることが検出された場合に、前記モバイルクライアント装置が前記停止状態であると判断することを特徴としている。
【０００９】
請求項５に記載の発明は、請求項２に記載のコンテンツ受信システムにおいて、
前記停止検出手段は、当該モバイルクライアント装置の位置を検出する位置検出手段を備え、
前記判断手段は、前記位置検出手段により検出された前記モバイルクライアント装置の位置が所定範囲内に入ってから所定時間経過した場合に、前記モバイルクライアント装置が前記停止状態であると判断することを特徴としている。
【００１０】
請求項６に記載の発明は、請求項２〜５の何れか一項に記載のコンテンツ受信システムにおいて、
前記モバイルクライアント装置は、
コンテンツを記憶する第２コンテンツ記憶手段と、
前記第２コンテンツ記憶手段に記憶されているコンテンツの第２コンテンツリストを記憶する第２リスト記憶手段を備え、
前記選択手段は、
前記リスト取得手段により取得されたコンテンツリストと前記第２リスト記憶手段に記憶されている第２コンテンツリストとの差分により取得されるコンテンツを選択する自動選択手段を備えることを特徴としている。
【００１１】
請求項７に記載の発明は、請求項２〜６の何れか一項に記載のコンテンツ受信システムにおいて、
前記選択手段は、
前記リスト取得手段により取得されたコンテンツリストからユーザが所望するコンテンツを選択するユーザ選択手段を備えることを特徴としている。
【発明の効果】
【００１２】
請求項１に記載の発明によれば、サーバにおいて、第１コンテンツ記憶手段により、複数のコンテンツが記憶され、第１リスト記憶手段により、当該複数のコンテンツの第１コンテンツリストが記憶され、送信手段により、モバイルクライアント装置からの要求に従って、第１コンテンツ記憶手段に記憶されたコンテンツ及び第１リスト記憶手段に記憶された第１コンテンツリストのうち少なくとも一部がモバイルクライアント装置に送信され、自動車に搭載されたモバイルクライアント装置において、第２コンテンツ記憶手段により、コンテンツが記憶され、停止検出手段により、自動車の停止が検出され、判断手段により、停止検出手段によって自動車の停止が検出されてから所定時間が経過した場合に、モバイルクライアント装置が停止状態であると判断され、リスト取得手段により、判断手段によってモバイルクライアント装置が停止状態であると判断された場合に、サーバの第１リスト記憶手段に記憶された第１コンテンツリストから、予め設定された検索条件に合致するコンテンツリストが取得され、第２リスト記憶手段により、第２コンテンツ記憶手段に記憶されたコンテンツの第２コンテンツリストが記憶され、自動選択手段により、リスト取得手段により取得されたコンテンツリストと第２リスト記憶手段に記憶されている第２コンテンツリストとの差分により取得されるコンテンツが選択され、コンテンツ取得手段により、自動選択手段によって選択されたコンテンツがサーバから取得されるので、ユーザが意識的にモバイルクライアント装置の移動を停止させてコンテンツリスト及びコンテンツの取得を行わなくても好適なタイミングで実行できることとなって、使い勝手を向上させることができ、モバイルクライアント装置は、より好適にコンテンツリスト及びコンテンツをサーバから受信することができる。
また、モバイルクライアント装置の移動が停止されているときに、コンテンツリスト及びコンテンツの取得がなされるので、通信が安定している状態でコンテンツリスト及びコンテンツを取得でき、モバイルクライアント装置は、より確実にコンテンツリスト及びコンテンツをサーバから受信することができる。
また、リスト取得手段により、予め設定された検索条件に合致するコンテンツリストが取得されるので、モバイルクライアント装置は必要最小限のデータ量のみをサーバから受信することができることとなって、通信負荷を低減することができる。
【００１３】
また、モバイルクライアント装置において、第２コンテンツ記憶手段により、コンテンツが記憶され、第２リスト記憶手段により、第２コンテンツ記憶手段に記憶されているコンテンツの第２コンテンツリストが記憶され、自動選択手段により、リスト取得手段によって取得されたコンテンツリストと第２リスト記憶手段に記憶されている第２コンテンツリストとの差分により取得されるコンテンツが選択されるので、未だ取得されていないコンテンツのみを自動に選択することができ、さらに使い勝手を向上させることができる。
【００１４】
請求項２に記載の発明によれば、サーバにおいて、コンテンツ記憶手段により、複数のコンテンツが記憶され、リスト記憶手段により、当該複数のコンテンツのコンテンツリストが記憶され、モバイルクライアント装置において、停止検出手段により、当該モバイルクライアント装置の移動の停止が検出され、判断手段により、停止検出手段による検出結果に基づいて、予め設定された停止状態か否かが判断され、リスト取得手段により、判断手段によってモバイルクライアント装置が予め設定された停止状態であると判断された場合に、サーバのリスト記憶手段からコンテンツリストが取得され、選択手段により、リスト取得手段によって取得されたコンテンツリストからコンテンツが選択され、コンテンツ取得手段により、選択手段によって選択されたコンテンツがサーバから取得されるので、ユーザが意識的にモバイルクライアント装置の移動を停止させてコンテンツリスト及びコンテンツの取得を行わなくても好適なタイミングで実行できることとなって、使い勝手を向上させることができ、モバイルクライアント装置は、より好適にコンテンツリスト及びコンテンツをサーバから受信することができる。
また、モバイルクライアント装置の移動が停止されているときに、コンテンツリスト及びコンテンツの取得がなされるので、通信が安定している状態でコンテンツリスト及びコンテンツを取得でき、モバイルクライアント装置は、より確実にコンテンツリスト及びコンテンツをサーバから受信することができる。
【００１５】
請求項３に記載の発明によれば、請求項２に記載の発明と同様の効果が得られることは勿論のこと、特に、モバイルクライアント装置は、自動車に搭載されており、判断手段は、停止検出手段によってモバイルクライアント装置の停止が検出されてから所定時間が経過した場合に、モバイルクライアント装置が停止状態であると判断するので、自動車に搭載されたモバイルクライアント装置においても、当該モバイルクライアント装置の移動が停止状態であるときにコンテンツリスト及びコンテンツが取得されることとなって、モバイルクライアント装置は、より確実に且つより好適にコンテンツリスト及びコンテンツをサーバから受信することができる。
【００１６】
請求項４に記載の発明によれば、請求項２に記載の発明と同様の効果が得られることは勿論のこと、特に、モバイルクライアント装置において、充電部により、当該モバイルクライアント装置の充電電池が充電され、停止検出手段により、充電部によって充電電池が充電されていることが検出され、判断手段は、停止検出手段により、充電部によって充電電池が充電されていることが検出された場合に、モバイルクライアント装置が停止状態であると判断するので、充電式のモバイルクライアント装置においても、充電部により充電電池が充電されていて当該モバイルクライアント装置の移動が停止状態となったときにコンテンツリスト及びコンテンツが取得されることとなって、モバイルクライアント装置は、より確実に且つより好適にコンテンツリスト及びコンテンツをサーバから受信することができる。
【００１７】
請求項５に記載の発明によれば、請求項２に記載の発明と同様の効果が得られることは勿論のこと、特に、モバイルクライアント装置において、位置検出手段により、当該モバイルクライアント装置の位置が検出され、判断手段は、位置検出手段によって検出されたモバイルクライアント装置の位置が所定範囲内に入ってから所定時間経過した場合に、モバイルクライアント装置が停止状態であると判断するので、例えば、モバイルクライアント装置が自動車に搭載されていて当該自動車が車庫に入った場合等、モバイルクライアント装置の移動が通常停止状態となる所定範囲に入った場合に、コンテンツリスト及びコンテンツが取得されることとなって、モバイルクライアント装置は、より確実に且つより好適にコンテンツリスト及びコンテンツをサーバから受信することができる。
【００１８】
請求項６に記載の発明によれば、請求項２〜５の何れか一項に記載の発明と同様の効果が得られることは勿論のこと、特に、モバイルクライアント装置において、第２コンテンツ記憶手段により、コンテンツが記憶され、第２リスト記憶手段により、第２コンテンツ記憶手段に記憶されているコンテンツの第２コンテンツリストが記憶され、自動選択手段により、リスト取得手段によって取得されたコンテンツリストと第２リスト記憶手段に記憶されている第２コンテンツリストとの差分により取得されるコンテンツが選択されるので、未だ取得されていないコンテンツのみを自動に選択することができ、さらに使い勝手を向上させることができる。
【００１９】
請求項７に記載の発明によれば、請求項２〜６の何れか一項に記載の発明と同様の効果が得られることは勿論のこと、特に、モバイルクライアント装置において、ユーザ選択手段により、リスト取得手段によって取得されたコンテンツリストからユーザが所望するコンテンツが選択されるので、コンテンツリストの中から、ユーザが所望するコンテンツのみを選択して取得することができることとなって、モバイルクライアント装置は、必要最小限のデータ量のみをサーバから受信することができることとなって、通信負荷を低減することができる。
【発明を実施するための最良の形態】
【００２０】
以下、図を参照して、本発明に係るコンテンツ受信システムを実施するための最良の形態を詳細に説明する。
【００２１】
（第１の実施形態）
まず、本発明の第１の実施形態に係るコンテンツ受信システム１０００は、例えば、サーバ１と、当該サーバ１とネットワークＮを介して接続されて当該サーバ１から送信されるコンテンツを受信するとともに自動車に搭載されるモバイルクライアント装置２等を備えて構成されている。
なお、コンテンツ受信システム１０００に備えられるサーバ１，モバイルクライアント装置２の数は、図示例に限定されるものではなく、任意である。
【００２２】
サーバ１は、例えば、図２に示すように、通信部１１，ＣＰＵ（Central  Processing  Unit）１２，ＲＡＭ（Random  Access  Memory）１３，記憶部１４等を備えて構成されている。
【００２３】
通信部１１は、例えば、インターネットＮと接続されて、サーバ１とモバイルクライアント装置２等との間の通信を行う。
【００２４】
ＣＰＵ１２は、記憶部１４に格納された処理プログラム等を読み出して、ＲＡＭ１３に展開して実行することにより、サーバ１全体の制御を行う。
【００２５】
ＲＡＭ１３は、ＣＰＵ１２により実行された処理プログラム等を、ＲＡＭ１３内のプログラム格納領域に展開するとともに、入力データや上記処理プログラムが実行される際に生じる処理結果等をデータ格納領域に格納する。
【００２６】
記憶部１４は、例えば、プログラムやデータ等が予め記憶されている記録媒体（図示せず）を有しており、この記録媒体は、例えば、半導体メモリ等で構成されている。また、記憶部１４は、ＣＰＵ１２がサーバ１全体を制御する機能を実現させるための各種データ，各種処理プログラム，これらプログラムの実行により処理されたデータ等を記憶する。より具体的には、記憶部１４は、例えば、図２に示すように、コンテンツデータベース１４Ａ，リストデータベース１４Ｂ，リスト送信プログラム１４Ｃ，コンテンツ送信プログラム１４Ｄ等を格納している。
【００２７】
コンテンツデータベース１４Ａは、例えば、複数のコンテンツを記憶し、コンテンツ記憶手段及び第１コンテンツ記憶手段として機能する。
【００２８】
リストデータベース１４Ｂは、例えば、コンテンツデータベース１４Ａに記憶された複数のコンテンツの第１コンテンツリストを記憶し、リスト記憶手段及び第１リスト記憶手段として機能する。
【００２９】
リスト送信プログラム１４Ｃは、例えば、ＣＰＵ１２に、モバイルクライアント装置２からリスト要求信号を受信した場合に、通信部１１を制御して、リストデータベース１４Ｂに記憶されている第１コンテンツリストのうち少なくとも一部をモバイルクライアント装置２へ送信させる機能を実現させるプログラムである。
より具体的には、リスト送信プログラム１４Ｃは、例えば、ＣＰＵ１２に、モバイルクライアント装置２から、後述する検索条件情報とリスト要求信号とを受信した場合に、通信部１１を制御して、リストデータベース１４Ｂに記憶されている第１コンテンツリストのうち、検索条件に合致するコンテンツのリストデータをモバイルクライアント装置２へ送信させる機能を実現させるプログラムである。
ＣＰＵ１２は、かかるリスト送信プログラム１４Ｃを実行することにより、送信手段として機能する。
【００３０】
コンテンツ送信プログラム１４Ｄは、例えば、ＣＰＵ１２に、モバイルクライアント装置２からコンテンツ要求信号を受信した場合に、コンテンツデータベース１４Ａから、当該コンテンツ要求信号に基づいて要求されているコンテンツを検索し、通信部１１を制御して、当該コンテンツデータをモバイルクライアント装置２に送信させる機能を実現させるプログラムである。
【００３１】
モバイルクライアント装置２は、例えば、図３に示すように、通信部２１，検出部２２，表示部２３，操作部２４，ＣＰＵ２５，ＲＡＭ２６，記憶部２７等を備えて構成されている。
【００３２】
通信部２１は、例えば、インターネットＮと接続されて、当該モバイルクライアント装置２とサーバ１との間の通信を行う。
【００３３】
検出部２２は、例えば、当該モバイルクライアント装置２が搭載されている自動車の停止を検出する。より具体的には、検出部２２は、例えば、赤外線受光センサ（図示省略）を備えて構成されており、当該自動車の車庫に備えられている赤外線発光部（図示省略）から発光される赤外線を受光することにより、当該自動車が車庫に入り、停止したことを検出する。これにより、検出部２２は、停止検出手段として機能する。なお、自動車が車庫に入れられて当該自動車のエンジンが停止されても、当該自動車のバッテリーは当該モバイルクライアント装置２がコンテンツリスト及びコンテンツをサーバ１から取得するまでの間ＯＮとなっており、コンテンツリスト及びコンテンツをサーバ１から取得した後、自動的にＯＦＦされるようになっている。
【００３４】
表示部２３は、例えば、例えば、液晶ディスプレイやプラズマディスプレイ等を備えて構成され、ＣＰＵ２５からの指示に従って、各種映像を表示する。表示部２３は、例えば、ＣＰＵ２５が後述する表示制御プログラム２７Ｆを実行することにより制御されて、所定のコンテンツリストを表示する。
【００３５】
操作部２４は、例えば、各種の操作信号を入力するための各種のキー等を備え、ユーザにより操作されることによって、各種の操作信号を、ＣＰＵ２５に出力する。
例えば、操作部２４は、表示部２３に表示されたコンテンツリストから、ユーザが所望するコンテンツを選択する操作信号をＣＰＵ２５に出力し、選択手段及びユーザ選択手段として機能する。
【００３６】
ＣＰＵ２５は、記憶部２７に格納された処理プログラム等を読み出して、ＲＡＭ２６に展開して実行することにより、モバイルクライアント装置２全体の制御を行う。
【００３７】
ＲＡＭ２６は、ＣＰＵ２５により実行された処理プログラム等を、ＲＡＭ２６内のプログラム格納領域に展開するとともに、入力データや上記処理プログラムが実行される際に生じる処理結果等をデータ格納領域に格納する。
【００３８】
記憶部２７は、例えば、プログラムやデータ等が予め記憶されている記録媒体（図示せず）を有しており、この記録媒体は、例えば、半導体メモリ等で構成されている。また、記憶部２７は、ＣＰＵ２５がモバイルクライアント装置２全体を制御する機能を実現させるための各種データ，各種処理プログラム，これらプログラムの実行により処理されたデータ等を記憶する。より具体的には、記憶部２７は、例えば、図３に示すように、コンテンツデータファイル２７Ａ，リストデータファイル２７Ｂ，検索条件データファイル２７Ｃ，判断プログラム２７Ｄ，リスト取得プログラム２７Ｅ，表示制御プログラム２７Ｆ，コンテンツ取得プログラム２７Ｇ等を格納している。
【００３９】
コンテンツデータファイル２７Ａは、例えば、ＣＰＵ２５が後述するコンテンツ取得プログラム２７Ｇを実行することにより取得したコンテンツを記憶している。記憶部２７は、かかるコンテンツデータファイル２７Ａを格納することにより、第２コンテンツ記憶手段として機能する。
【００４０】
リストデータファイル２７Ｂは、例えば、コンテンツデータファイル２７Ａに記憶されているコンテンツの第２コンテンツリストを記憶している。記憶部２７は、かかるリストデータファイル２７Ｂを格納することにより、第２リスト記憶手段として機能する。
【００４１】
検索条件データファイル２７Ｃは、例えば、サーバ１のリストデータベース１４Ｂからコンテンツリストを取得するための予め設定された検索条件を記憶している。ここで、検索条件としては、例えば、期間，ジャンル，出演者名，作者等が挙げられる。
【００４２】
判断プログラム２７Ｄは、例えば、ＣＰＵ２５に、検出部２２により、自動車の停止が検出されてから所定時間が経過した場合に、当該モバイルクライアント装置２の移動が停止状態であると判断する機能を実現させるプログラムである。ＣＰＵ２５は、かかる判断プログラム２７Ｄを実行することにより、判断手段として機能する。
【００４３】
リスト取得プログラム２７Ｅは、例えば、ＣＰＵ２５に、判断プログラム２７Ｄを実行することによって、モバイルクライアント装置２の移動が停止状態であると判断した場合に、サーバ１のリストデータベース１４Ｂに記憶された第１コンテンツリストから、検索条件データファイル２７Ｃに記憶された検索条件に合致するコンテンツリストを取得する機能を実現させるプログラムである。
より具体的には、リスト取得プログラム２７Ｅは、例えば、ＣＰＵ２５に、判断プログラム２７Ｄを実行することによって、モバイルクライアント装置２の移動が停止状態であると判断した場合に、通信部２１を制御して、検索条件データファイル２７Ｃに記憶された検索条件情報とリスト要求信号とをサーバ１に送信させ、サーバ１から送信された当該検索条件に合致するリストデータを受信させる機能を実現させるプログラムである。
ＣＰＵ２５は、かかるリスト取得プログラム２７Ｅを実行することにより、リスト取得手段として機能する。
【００４４】
表示制御プログラム２７Ｆは、例えば、ＣＰＵ２５に、表示部２３を制御して、リスト取得プログラム２７Ｅを実行することにより取得したリストデータに基づくコンテンツリストを表示させる機能を実現させるプログラムである。
【００４５】
コンテンツ取得プログラム２７Ｇは、例えば、ＣＰＵ２５に、操作部２４から、表示部２３に表示されたコンテンツリストからコンテンツを選択する操作信号が入力されたか否かを判断し、操作部２４から、表示部２３に表示されたコンテンツリストからコンテンツを選択する操作信号が入力されたと判断した場合には、当該操作信号に従って、選択されたコンテンツをサーバ１のコンテンツデータベース１４Ａから取得するとともにリストデータファイル２７Ｂを更新し、操作部２４から、表示部２３に表示されたコンテンツリストからコンテンツを選択する操作信号が入力されなかったと判断した場合には、表示部２３に表示されたコンテンツリストとリストデータファイル２７Ｂに記憶されている第２コンテンツリストとの差分により取得されるコンテンツを選択し、選択したコンテンツをサーバ１のコンテンツデータベース１４Ａから取得するとともにリストデータファイル２７Ｂを更新する機能を実現させるプログラムである。
より具体的には、コンテンツ取得プログラム２７Ｇは、例えば、ＣＰＵ２５に、通信部２１を制御して、操作部２４から入力された操作信号に従って選択したコンテンツのコンテンツ要求信号、又は、表示部２３に表示されたコンテンツリストとリストデータファイル２７Ｂに記憶されている第２コンテンツリストとの差分により取得されるコンテンツのコンテンツ要求信号をサーバ１に送信させ、サーバ１から送信されるコンテンツのコンテンツデータを受信させ、当該コンテンツデータをコンテンツデータファイル２７Ａに記憶させるとともにリストデータファイル２７Ｂを更新する機能を実現させるプログラムである。
ＣＰＵ２５は、かかるコンテンツ取得プログラム２７Ｇを実行することにより、選択手段，自動選択手段，及びコンテンツ取得手段として機能する。
【００４６】
次に、上述のような構成の本発明の第１の実施形態に係るコンテンツ受信システム１０００におけるモバイルクライアント装置２のコンテンツ取得動作の一例について、図４に示すフローチャートを参照しながら説明する。
まず、ＣＰＵ２５は、判断プログラム２７Ｄを実行することにより、検出部２２により、自動車の停止が検出されてから所定時間が経過したか否かを判断することにより、当該モバイルクライアント装置２の移動が停止状態であるか否かを判断する（ステップＳ１）。
【００４７】
ステップＳ１において、ＣＰＵ２５が、モバイルクライアント装置２の移動が停止状態ではないと判断した場合は（ステップＳ１；Ｎｏ）、ステップＳ１の処理を繰り返す。
ステップＳ１において、ＣＰＵ２５が、モバイルクライアント装置２の移動が停止状態であると判断した場合は（ステップＳ１；Ｙｅｓ）、ＣＰＵ２５は、リスト取得プログラム２７Ｅを実行することにより、サーバ１のリストデータベース１４Ｂに記憶された第１コンテンツリストから、検索条件データファイル２７Ｃに記憶された検索条件に合致するコンテンツリストを取得する（ステップＳ２）。
【００４８】
次に、ＣＰＵ２５は、表示制御プログラム２７Ｆを実行することにより、表示部２３を制御して、リスト取得プログラム２７Ｅを実行することにより取得したコンテンツリストを表示させる（ステップＳ３）。
【００４９】
次に、ＣＰＵ２５は、コンテンツ取得プログラム２７Ｇを実行することにより、操作部２４から、表示部２３に表示されたコンテンツリストからコンテンツを選択する操作信号が入力されたか否かを判断する（ステップＳ４）。
【００５０】
ステップＳ４において、ＣＰＵ２５が、操作部２４から、表示部２３に表示されたコンテンツリストからコンテンツを選択する操作信号が入力されたと判断した場合は（ステップＳ４；Ｙｅｓ）、ＣＰＵ２５は、コンテンツ取得プログラム２７Ｇの実行に基づいて、当該操作信号に従って、選択されたコンテンツをサーバ１のコンテンツデータベース１４Ａから取得するとともにリストデータファイル２７Ｂを更新して（ステップＳ５）、本処理を終了する。
ステップＳ４において、ＣＰＵ２５が、操作部２４から、表示部２３に表示されたコンテンツリストからコンテンツを選択する操作信号が入力されなかったと判断した場合は（ステップＳ４；Ｙｅｓ）、ＣＰＵ２５は、コンテンツ取得プログラム２７Ｇの実行に基づいて、表示部２３に表示されたコンテンツリストとリストデータファイル２７Ｂに記憶されている第２コンテンツリストとの差分により取得されるコンテンツを選択し、選択したコンテンツをサーバ１のコンテンツデータベース１４Ａから取得するとともにリストデータファイル２７Ｂを更新して（ステップＳ６）、本処理を終了する。
【００５１】
次に、本発明の第１の実施形態に係るコンテンツ受信システム１０００におけるコンテンツリスト受信動作の一例について、図５に示すフローチャートを参照しながら説明する。
まず、モバイルクライアント装置２において、ＣＰＵ２５は、リスト取得プログラム２７Ｅを実行することにより、通信部２１を制御して、検索条件データファイル２７Ｃに記憶された検索条件情報とリスト要求信号とをサーバ１に送信させる（ステップＳ１０１）。
【００５２】
次に、サーバ１が、モバイルクライアント装置２から送信された検索条件情報とリスト要求信号とを受信すると（ステップＳ１０２）、サーバ１のＣＰＵ１２は、リスト送信プログラム１４Ｃを実行することにより、通信部１１を制御して、リストデータベース１４Ｂに記憶されている第１コンテンツリストのうち、検索条件に合致するコンテンツのリストデータをモバイルクライアント装置２へ送信させる（ステップＳ１０３）。
【００５３】
次に、モバイルクライアント装置２が、サーバ１から送信されたリストデータを受信して（ステップＳ１０４）、本処理を終了する（ステップＳ１０４）。
【００５４】
次に、本発明に係るコンテンツ受信システム１０００におけるコンテンツ受信動作の一例について、図６に示すフローチャートを参照しながら説明する。
まず、モバイルクライアント装置２において、ＣＰＵ２５は、コンテンツ取得プログラム２７Ｇを実行することにより、通信部２１を制御して、操作部２４から入力された操作信号に従って選択したコンテンツのコンテンツ要求信号、又は、表示部２３に表示されたコンテンツリストとリストデータファイル２７Ｂに記憶されている第２コンテンツリストとの差分により取得されるコンテンツのコンテンツ要求信号をサーバ１に送信させる（ステップＳ２０１）。
【００５５】
次に、サーバ１が、モバイルクライアント装置２から送信されたコンテンツ要求信号を受信すると（ステップＳ２０２）、サーバ１のＣＰＵ１２は、コンテンツ送信プログラム１４Ｄを実行することにより、コンテンツデータベース１４Ａから、当該コンテンツ要求信号に基づいて要求されているコンテンツを検索し、通信部１１を制御して、当該コンテンツデータをモバイルクライアント装置２に送信させる（ステップＳ２０３）。
【００５６】
次に、モバイルクライアント装置２が、サーバ１から送信されたコンテンツのコンテンツデータを受信すると（ステップＳ２０４）、ＣＰＵ２５は、コンテンツ取得プログラム２７Ｇの実行に基づいて、当該コンテンツデータをコンテンツデータファイル２７Ａに記憶させるとともに（ステップＳ２０５）、リストデータファイル２７Ｂを更新して（ステップＳ２０６）、本処理を終了する。
【００５７】
以上に説明した本発明に係るコンテンツ受信システム１０００によれば、サーバ１において、コンテンツデータベース１４Ａにより、複数のコンテンツが記憶され、リストデータベース１４Ｂにより、当該複数のコンテンツの第１コンテンツリストが記憶され、自動車に搭載されたモバイルクライアント装置２において、コンテンツデータファイル２７Ａにより、コンテンツが記憶され、検出部２２により、自動車の停止が検出され、ＣＰＵ２５が判断プログラム２７Ｄを実行することにより、検出部２２によって自動車の停止が検出されてから所定時間が経過した場合に、モバイルクライアント装置２が停止状態であると判断され、ＣＰＵ２５がリスト取得プログラム２７Ｅを実行することにより、判断プログラム２７Ｄを実行することによってモバイルクライアント装置２が停止状態であると判断された場合に、サーバ１のリストデータベース１４Ｂに記憶された第１コンテンツリストから、予め設定された検索条件に合致するコンテンツリストが取得され、リストデータファイル２７Ｂにより、コンテンツデータファイル２７Ａに記憶されたコンテンツの第２コンテンツリストが記憶され、ＣＰＵ２５がコンテンツ取得プログラム２７Ｇを実行することにより、リスト取得プログラム２７Ｅを実行することにより取得されたコンテンツリストとリストデータファイル２７Ｂに記憶されている第２コンテンツリストとの差分により取得されるコンテンツが選択され、選択されたコンテンツがサーバ１から取得されるので、ユーザが意識的にモバイルクライアント装置２の移動を停止させてコンテンツリスト及びコンテンツの取得を行わなくても好適なタイミングで実行できることとなって、使い勝手を向上させることができ、モバイルクライアント装置２は、より好適にコンテンツリスト及びコンテンツをサーバ１から受信することができる。
また、モバイルクライアント装置２の移動が停止されているときに、コンテンツリスト及びコンテンツの取得がなされるので、通信が安定している状態でコンテンツリスト及びコンテンツを取得でき、モバイルクライアント装置２は、より確実にコンテンツリスト及びコンテンツをサーバ１から受信することができる。
また、ＣＰＵ２５がリスト取得プログラム２７Ｅを実行することにより、予め設定された検索条件に合致するコンテンツリストが取得されるので、モバイルクライアント装置２は、必要最小限のデータ量のみをサーバ１から受信することができることとなって、通信負荷を低減することができる。
【００５８】
また、モバイルクライアント装置２において、コンテンツデータファイル２７Ａにより、コンテンツが記憶され、リストデータファイル２７Ｂにより、コンテンツデータファイル２７Ａに記憶されているコンテンツの第２コンテンツリストが記憶され、ＣＰＵ２５がコンテンツ取得プログラム２７Ｇを実行することにより、リスト取得プログラム２７Ｅを実行することによって取得されたコンテンツリストとリストデータファイル２７Ｂに記憶されている第２コンテンツリストとの差分により取得されるコンテンツが選択されるので、未だ取得されていないコンテンツのみを自動に選択することができ、さらに使い勝手を向上させることができる。
【００５９】
また、モバイルクライアント装置２において、操作部２４により、ＣＰＵ２５がリスト取得プログラム２７Ｅを実行することによって取得されたコンテンツリストからユーザが所望するコンテンツが選択されるので、コンテンツリストの中から、ユーザが所望するコンテンツのみを選択して取得することができることとなって、モバイルクライアント装置２は、必要最小限のデータ量のみをサーバ１から受信することができることとなって、通信負荷を低減することができる。
【００６０】
（第２の実施形態）
本発明の第２の実施形態に係るコンテンツ受信システム２０００は、例えば、図７に示すように、モバイルクライアント装置２Ａの構成のみが、第１の実施形態に係るコンテンツ受信システム１００と異なるので、同一の構成については、同一の符号を付すとともに、その説明を省略する。
【００６１】
本発明の第２の実施形態に係るモバイルクライアント装置２Ａは、例えば、図８に示すように、通信部２１，充電検出部２８Ａ，充電部２８Ｂ，表示部２３，操作部２４，ＣＰＵ２５，ＲＡＭ２６，記憶部２７０等を備えて構成されている。
また、モバイルクライアント装置２Ａは、例えば、携帯電話機等の高移動性のクライアント装置であって、充電部２８Ｂにより充電された充電電池により駆動される。
【００６２】
充電検出部２８Ａは、例えば、所定の電源に接続されたことを検出するメカニカルスイッチや所定の電源から供給される電流を検出する電流検出器などにより構成され、充電部２８Ｂにおいて、充電電池が充電されていることを検出し、停止検出手段として機能する。
【００６３】
充電部２８Ｂは、例えば、非接触方式により所定の電源と接続されて、モバイルクライアント装置２Ａの充電電池を充電する。
【００６４】
記憶部２７０は、例えば、プログラムやデータ等が予め記憶されている記録媒体（図示せず）を有しており、この記録媒体は、例えば、半導体メモリ等で構成されている。また、記憶部２７０は、ＣＰＵ２５がモバイルクライアント装置２Ａ全体を制御する機能を実現させるための各種データ，各種処理プログラム，これらプログラムの実行により処理されたデータ等を記憶する。より具体的には、記憶部２７０は、例えば、図８に示すように、コンテンツデータファイル２７Ａ，リストデータファイル２７Ｂ，検索条件データファイル２７Ｃ，判断プログラム２７０Ｄ，リスト取得プログラム２７Ｅ，表示制御プログラム２７Ｆ，コンテンツ取得プログラム２７Ｇ等を格納している。
【００６５】
判断プログラム２７０Ｄは、例えば、ＣＰＵ２５に、充電検出部２８Ａにより、充電部２８Ｂによる充電電池の充電が検出された場合に、当該モバイルクライアント装置２Ａの移動が停止状態であると判断する機能を実現させるプログラムである。ＣＰＵ２５は、かかる判断プログラム２７０Ｄを実行することにより、判断手段として機能する。
【００６６】
次に、上述のような構成の本発明の第２の実施形態に係るコンテンツ受信システム２０００におけるモバイルクライアント装置２Ａのコンテンツ取得動作の一例について、図９に示すフローチャートを参照しながら説明する。
まず、ＣＰＵ２５は、判断プログラム２７０Ｄを実行することにより、充電検出部２８Ａにより、充電部２８Ｂによる充電電池の充電が検出されたか否かにより、当該モバイルクライアント装置２Ａの移動が停止状態であるか否かを判断する（ステップＳ３０１）。
【００６７】
ステップＳ３０１において、ＣＰＵ２５が、モバイルクライアント装置２Ａの移動が停止状態ではないと判断した場合は（ステップＳ３０１；Ｎｏ）、ステップＳ３０１の処理を繰り返す。
ステップＳ３０１において、ＣＰＵ２５が、モバイルクライアント装置２Ａの移動が停止状態であると判断した場合は（ステップＳ３０１；Ｙｅｓ）、ＣＰＵ２５は、リスト取得プログラム２７Ｅを実行することにより、サーバ１のリストデータベース１４Ｂに記憶された第１コンテンツリストから、検索条件データファイル２７Ｃに記憶された検索条件に合致するコンテンツリストを取得する（ステップＳ３０２）。
【００６８】
次に、ＣＰＵ２５は、表示制御プログラム２７Ｆを実行することにより、表示部２３を制御して、リスト取得プログラム２７Ｅを実行することにより取得したコンテンツリストを表示させる（ステップＳ３０３）。
【００６９】
次に、ＣＰＵ２５は、コンテンツ取得プログラム２７Ｇを実行することにより、操作部２４から、表示部２３に表示されたコンテンツリストからコンテンツを選択する操作信号が入力されたか否かを判断する（ステップＳ３０４）。
【００７０】
ステップＳ３０４において、ＣＰＵ２５が、操作部２４から、表示部２３に表示されたコンテンツリストからコンテンツを選択する操作信号が入力されたと判断した場合は（ステップＳ３０４；Ｙｅｓ）、ＣＰＵ２５は、コンテンツ取得プログラム２７Ｇの実行に基づいて、当該操作信号に従って、選択されたコンテンツをサーバ１のコンテンツデータベース１４Ａから取得するとともにリストデータファイル２７Ｂを更新して（ステップＳ３０５）、本処理を終了する。
ステップＳ３０４において、ＣＰＵ２５が、操作部２４から、表示部２３に表示されたコンテンツリストからコンテンツを選択する操作信号が入力されなかったと判断した場合は（ステップＳ３０４；Ｙｅｓ）、ＣＰＵ２５は、コンテンツ取得プログラム２７Ｇの実行に基づいて、表示部２３に表示されたコンテンツリストとリストデータファイル２７Ｂに記憶されている第２コンテンツリストとの差分により取得されるコンテンツを選択し、選択したコンテンツをサーバ１のコンテンツデータベース１４Ａから取得するとともにリストデータファイル２７Ｂを更新して（ステップＳ３０６）、本処理を終了する。
【００７１】
以上に説明した本発明の第２の実施形態に係るコンテンツ受信システム２０００によれば、第１の実施形態に係るコンテンツ受信システム１０００と同様の効果が得られることは勿論のこと、特に、モバイルクライアント装置２Ａにおいて、充電部２８Ｂにより、当該モバイルクライアント装置２Ａの充電電池が充電され、充電検出部２８Ａにより、充電部２８Ｂによって充電電池が充電されていることが検出され、ＣＰＵ２５は、判断プログラム２７０Ｄを実行することにより、充電検出部２８Ａによって、充電部２８Ｂによって充電電池が充電されていることが検出された場合に、モバイルクライアント装置２Ａが停止状態であると判断するので、充電式のモバイルクライアント装置２Ａにおいても、充電部２８Ｂにより充電電池が充電されていて当該モバイルクライアント装置２Ａの移動が停止状態となったときにコンテンツリスト及びコンテンツが取得されることとなって、モバイルクライアント装置２Ａは、より確実に且つより好適にコンテンツリスト及びコンテンツをサーバ１から受信することができる。
【００７２】
（第３の実施形態）
本発明の第３の実施形態に係るコンテンツ受信システム３０００は、例えば、図１０に示すように、モバイルクライアント装置２Ｂの構成のみが、第１の実施形態に係るコンテンツ受信システム１００と異なるので、同一の構成については、同一の符号を付すとともに、その説明を省略する。
【００７３】
本発明の第３の実施形態に係るモバイルクライアント装置２Ｂは、例えば、図１１に示すように、通信部２１，ＧＰＳ（Global  Positioning  System）装置２９，表示部２３，操作部２４，ＣＰＵ２５，ＲＡＭ２６，記憶部２７１等を備えて構成されている。
【００７４】
ＧＰＳ装置２９は、例えば、ＧＰＳ衛星から、当該ＧＰＳ衛星の軌道と時刻のデータを含む電波信号を受信し、当該電波の時間差により、当該モバイルクライアント装置２Ｂの位置を検出し、位置検出手段として機能する。
【００７５】
記憶部２７１は、例えば、プログラムやデータ等が予め記憶されている記録媒体（図示せず）を有しており、この記録媒体は、例えば、半導体メモリ等で構成されている。また、記憶部２７１は、ＣＰＵ２５がモバイルクライアント装置２Ｂ全体を制御する機能を実現させるための各種データ，各種処理プログラム，これらプログラムの実行により処理されたデータ等を記憶する。より具体的には、記憶部２７１は、例えば、図１１に示すように、コンテンツデータファイル２７Ａ，リストデータファイル２７Ｂ，検索条件データファイル２７Ｃ，判断プログラム２７１Ｄ，リスト取得プログラム２７Ｅ，表示制御プログラム２７Ｆ，コンテンツ取得プログラム２７Ｇ等を格納している。
【００７６】
判断プログラム２７１Ｄは、例えば、ＣＰＵ２５に、ＧＰＳ装置２９により検出されたモバイルクライアント装置２Ｂの位置が所定範囲内に入ってから所定時間経過した場合に、当該モバイルクライアント装置２Ｂの移動が停止状態であると判断する機能を実現させるプログラムである。ＣＰＵ２５は、かかる判断プログラム２７１Ｄを実行することにより、判断手段として機能する。
【００７７】
次に、上述のような構成の本発明の第３の実施形態に係るコンテンツ受信システム３０００におけるモバイルクライアント装置２Ｂのコンテンツ取得動作の一例について、図１２に示すフローチャートを参照しながら説明する。
まず、ＣＰＵ２５は、判断プログラム２７１Ｄを実行することにより、ＧＰＳ装置２９により検出されたモバイルクライアント装置２Ｂの位置が所定範囲内に入ってから所定時間経過したか否かを判断することにより、当該モバイルクライアント装置２Ｂの移動が停止状態であるか否かを判断する（ステップＳ４０１）。
【００７８】
ステップＳ４０１において、ＣＰＵ２５が、モバイルクライアント装置２Ｂの移動が停止状態ではないと判断した場合は（ステップＳ４０１；Ｎｏ）、ステップＳ４０１の処理を繰り返す。
ステップＳ４０１において、ＣＰＵ２５が、モバイルクライアント装置２Ｂの移動が停止状態であると判断した場合は（ステップＳ４０１；Ｙｅｓ）、ＣＰＵ２５は、リスト取得プログラム２７Ｅを実行することにより、サーバ１のリストデータベース１４Ｂに記憶された第１コンテンツリストから、検索条件データファイル２７Ｃに記憶された検索条件に合致するコンテンツリストを取得する（ステップＳ４０２）。
【００７９】
次に、ＣＰＵ２５は、表示制御プログラム２７Ｆを実行することにより、表示部２３を制御して、リスト取得プログラム２７Ｅを実行することにより取得したコンテンツリストを表示させる（ステップＳ４０３）。
【００８０】
次に、ＣＰＵ２５は、コンテンツ取得プログラム２７Ｇを実行することにより、操作部２４から、表示部２３に表示されたコンテンツリストからコンテンツを選択する操作信号が入力されたか否かを判断する（ステップＳ４０４）。
【００８１】
ステップＳ４０４において、ＣＰＵ２５が、操作部２４から、表示部２３に表示されたコンテンツリストからコンテンツを選択する操作信号が入力されたと判断した場合は（ステップＳ４０４；Ｙｅｓ）、ＣＰＵ２５は、コンテンツ取得プログラム２７Ｇの実行に基づいて、当該操作信号に従って、選択されたコンテンツをサーバ１のコンテンツデータベース１４Ａから取得するとともにリストデータファイル２７Ｂを更新して（ステップＳ４０５）、本処理を終了する。
ステップＳ４０４において、ＣＰＵ２５が、操作部２４から、表示部２３に表示されたコンテンツリストからコンテンツを選択する操作信号が入力されなかったと判断した場合は（ステップＳ４０４；Ｙｅｓ）、ＣＰＵ２５は、コンテンツ取得プログラム２７Ｇの実行に基づいて、表示部２３に表示されたコンテンツリストとリストデータファイル２７Ｂに記憶されている第２コンテンツリストとの差分により取得されるコンテンツを選択し、選択したコンテンツをサーバ１のコンテンツデータベース１４Ａから取得するとともにリストデータファイル２７Ｂを更新して（ステップＳ３４０６）、本処理を終了する。
【００８２】
以上に説明した本発明の第３の実施形態に係るコンテンツ受信システム３０００によれば、第１の実施形態に係るコンテンツ受信システム１０００と同様の効果が得られることは勿論のこと、特に、モバイルクライアント装置２Ｂにおいて、ＧＰＳ装置２９により、当該モバイルクライアント装置２Ｂの位置が検出され、ＣＰＵ２５は、判断プログラム２７１Ｄを実行することによって、ＧＰＳ装置２９によって検出されたモバイルクライアント装置２Ｂの位置が所定範囲内に入ってから所定時間経過した場合に、モバイルクライアント装置２Ｂが停止状態であると判断するので、例えば、モバイルクライアント装置２Ｂが自動車に搭載されていて当該自動車が車庫に入った場合等、モバイルクライアント装置２Ｂの移動が通常停止状態となる所定範囲に入った場合に、コンテンツリスト及びコンテンツが取得されることとなって、より確実に且つより好適にコンテンツリスト及びコンテンツを受信することができる。
【００８３】
なお、第１の実施形態に係るモバイルクライアント装置２の検出部２による検出方法は、自動車が停止しているか否かを検出することができるものであれば何であってもよく、例えば、バッテリーがＯＮである場合に、エンジン停止を検出することにより、自動車の停止を検出してもよい。
【図面の簡単な説明】
【００８４】
【図１】本発明の第１の実施形態に係るコンテンツ受信システムの概略構成を示す図である。
【図２】本発明の第１の実施形態に係るサーバの構成の一例を示すブロック図である。
【図３】本発明の第１の実施形態に係るモバイルクライアント装置の構成の一例を示すブロック図である。
【図４】本発明の第１の実施形態に係るモバイルクライアント装置のコンテンツ取得動作の一例を説明するフローチャートである。
【図５】本発明の第１の実施形態に係るコンテンツ受信システムにおけるコンテンツリストの受信動作の一例を説明するフローチャートである。
【図６】本発明の第１の実施形態に係るコンテンツ受信システムにおけるコンテンツ受信動作の一例を説明するフローチャートである。
【図７】本発明の第２の実施形態に係るコンテンツ受信システムの概略構成を示す図である。
【図８】本発明の第２の実施形態に係るモバイルクライアント装置の構成の一例を示すブロック図である。
【図９】本発明の第２の実施形態に係るモバイルクライアント装置のコンテンツ取得動作の一例を説明するフローチャートである。
【図１０】本発明の第３の実施形態に係るコンテンツ受信システムの概略構成を示す図である。
【図１１】本発明の第３の実施形態に係るモバイルクライアント装置の構成の一例を示すブロック図である。
【図１２】本発明の第３の実施形態に係るモバイルクライアント装置のコンテンツ取得動作の一例を説明するフローチャートである。
【符号の説明】
【００８５】
１  サーバ
１２  ＣＰＵ（送信手段）
１４Ａ  コンテンツデータベース（コンテンツ記憶手段，第１コンテンツ記憶手段）
１４Ｂ  リストデータベース（リスト記憶手段，第１リスト記憶手段）
１４Ｃ  リスト送信プログラム（送信手段）
２，２Ａ，２Ｂ  モバイルクライアント装置
２２  検出部（停止検出手段）
２４  操作部（選択手段，ユーザ選択手段）
２５  ＣＰＵ（判断手段，リスト取得手段，選択手段，自動選択手段，コンテンツ取得手段）
２７，２７０，２７１  記憶部（第２コンテンツ記憶手段，第２リスト記憶手段）
２７Ａ  コンテンツデータファイル（第２コンテンツ記憶手段）
２７Ｂ  リストデータファイル（第２リスト記憶手段）
２７Ｄ，２７０Ｄ，２７１Ｄ  判断プログラム（判断手段）
２７Ｅ  リスト取得プログラム（リスト取得手段）
２７Ｇ  コンテンツ取得プログラム（選択手段，自動選択手段，コンテンツ取得手段）
２８Ａ  充電検出部（停止検出手段）
２８Ｂ  充電部
２９  ＧＰＳ装置（位置検出手段）
１０００，２０００，３０００  コンテンツ受信システム
Ｎ  ネットワーク
【図１】
2008078779.tif 000003
【図２】
2008078779.tif 000004
【図３】
2008078779.tif 000005
【図４】
2008078779.tif 000006
【図５】
2008078779.tif 000007
【図６】
2008078779.tif 000008
【図７】
2008078779.tif 000009
【図８】
2008078779.tif 000010
【図９】
2008078779.tif 000011
【図１０】
2008078779.tif 000012
【図１１】
2008078779.tif 000013
【図１２】
2008078779.tif 000014